(57)【要約】【課題】光源から放射された光が光センサの検出結果に影響する可能性をより低減することができる照明器具を提供する。【解決手段】ハウジング６は、採光部７１０を一の方向の端部に含む。基部３９は、窓部（開口部３２）を含む。基部３９は、ハウジング６のうち、一の方向において光源（発光素子２２）とハウジング６の端部との間に収容されている。光センサ２３は、一の方向において基部３９と光源との間に位置している。光センサ２３の受光面２３０は、一の方向において窓部側を向く。突出部３１は、窓部を囲むように設けられている。突出部３１は、基部３９から採光部７１０に向かって突出している。突出部３１は筒状である。【選択図】図１
2018137185.tif 000002
【特許請求の範囲】
【請求項１】
透光性を有し外光を通す採光部を一の方向の端部に含むハウジングと、
前記ハウジングに収容されている光源と、
前記ハウジングの前記端部に対向する対向面を有し、前記対向面に位置しており外光を通す窓部を含み、前記ハウジングのうち、前記一の方向において前記光源と前記ハウジングの前記端部との間に収容されている基部と、
前記一の方向において前記基部と前記光源との間に位置しており、前記一の方向において前記窓部側を向く受光面を有し光を検出する光センサと、
前記窓部を囲むように設けられており前記基部から前記採光部に向かって突出している筒状の突出部と、を備える
ことを特徴とする照明器具。
【請求項２】
前記突出部の少なくとも一部の光反射率は、前記基部のうち最も光反射率が小さい部分の光反射率以下であることを特徴とする請求項１記載の照明器具。
【請求項３】
前記ハウジングは、
前記光源と対向し前記光源からの光を外部へ通す光放射面を含むカバーと、
前記光放射面との間に前記光源を挟んで前記光放射面と並んでおり、前記カバーが取り付けられており、前記カバーと共に前記光源、前記基部及び前記突出部を収容している外部筐体と、を含み、
前記基部は、第一基部と、第二基部と、を有し、
前記突出部は、
前記第一基部から突出している第一突出部と、
前記第二基部から突出している第二突出部と、を有し、
前記第一突出部は、前記光放射面と前記外部筐体とが前記光源を挟んで並んでいる方向において前記第二突出部と前記外部筐体との間に位置し、前記第二突出部よりも光反射率が小さい
ことを特徴とする請求項１又は２に記載の照明器具。
【請求項４】
前記第一基部の光反射率は前記第一突出部の光反射率と同じであることを特徴とする請求項３記載の照明器具。
【請求項５】
前記突出部は、前記採光部に接していることを特徴とする請求項１〜４のいずれか一項に記載の照明器具。
【請求項６】
前記ハウジングは、透光性を有し前記対向面と前記突出部とに沿って屈曲している屈曲部を含むことを特徴とする請求項１〜５のいずれか一項に記載の照明器具。
【発明の詳細な説明】
【技術分野】
【０００１】
本発明は照明器具に関し、より詳細には、光センサを備える照明器具に関する。
【背景技術】
【０００２】
従来例として特許文献１記載の照明装置を例示する。特許文献１記載の照明装置は、ハウジングと、光源と、電源ユニットとを備える。ハウジングは透光性部分を有し、光源と電源ユニットとを収納している。電源ユニットは、点灯回路と光センサとをケースに収納して成る。ケースには、自然光をケース内に導くためのＵ字状の採光部が一体に形成されている。光センサは、採光部を介してケース内に導かれた自然光を検出し、その光量が閾値を下回っているときに点灯回路に検出信号を出力する。そして、点灯回路は、光センサからの検出信号が出力されている間は光源に電力を供給して点灯させ、検出信号が出力されていない間は光源に電力を供給せず消灯させる。これにより、周囲の明るさに応じて光源が点灯・消灯する。
【先行技術文献】
【特許文献】
【０００３】
【特許文献１】特開２０１４−１６５１４１号公報
【発明の概要】
【発明が解決しようとする課題】
【０００４】
ところで、特許文献１記載の照明装置において、ハウジングの外面に雪などが付着することがある。また、照明装置が光反射率の高い壁などの付近に設置されることもある。光源から放射された光は、ハウジングの内外面、雪及び壁などでの反射・乱反射を経て、光センサに到達する場合がある。この場合、光センサは、ハウジングの外部の明るさよりも更に明るく照らされる。これにより、外部が暗いにも関わらず、光センサは点灯回路に検出信号を出力せず、点灯回路が光源を消灯させる場合がある。光源が消灯すると、光センサへの入射光量が減少するので、光センサは点灯回路に検出信号を出力し、点灯回路が光源を再び点灯させる。このように、光源から放射された光が光センサで検出されることにより、光源が点滅するという誤作動が起きることがあった。
【０００５】
本発明は、光源から放射された光が光センサの検出結果に影響する可能性をより低減することができる照明器具を提供することを目的とする。
【課題を解決するための手段】
【０００６】
上記の課題を解決するために、本発明の一態様に係る照明器具は、ハウジングと、光源と、基部と、光センサと、突出部と、を備える。前記ハウジングは、採光部を一の方向の端部に含む。前記採光部は、透光性を有し外光を通す。前記光源は、前記ハウジングに収容されている。前記基部は、対向面を有する。前記対向面は、前記ハウジングの前記端部に対向する。前記基部は、窓部を含む。前記窓部は、前記対向面に位置している。前記窓部は、外光を通す。前記基部は、前記ハウジングのうち、前記一の方向において前記光源と前記ハウジングの前記端部との間に収容されている。前記光センサは、前記一の方向において前記基部と前記光源との間に位置している。前記光センサは、受光面を有する。前記受光面は、前記一の方向において前記窓部側を向く。前記光センサは、光を検出する。前記突出部は、前記窓部を囲むように設けられている。前記突出部は、前記基部から前記採光部に向かって突出している。前記突出部は筒状である。
【発明の効果】
【０００７】
本発明の一態様に係る照明器具では、光源から放射された光が光センサの検出結果に影響する可能性をより低減することができる。
【図面の簡単な説明】
【０００８】
【図１】図１は、本発明の実施形態１に係る照明器具の分解斜視図である。
【図２】図２は、同上の照明器具の要部の斜視図である。
【図３】図３は、同上の照明器具の要部の側断面図である。
【図４】図４は、同上の照明器具が支柱に取り付けられた状態を示す斜視図である。
【図５】図５は、本発明の実施形態２に係る照明器具の要部の側断面図である。
【図６】図６Ａは、本発明の実施形態３に係る照明器具の要部の斜視図である。図６Ｂは、同上の照明器具の要部の側断面図である。
【図７】図７Ａは、参考例に係る照明器具の要部の斜視図である。図７Ｂは、同上の照明器具の壁部の斜視図である。
【発明を実施するための形態】
【０００９】
（実施形態１）
以下、実施形態１に係る照明器具について、図１〜４を参照して説明する。以下、特に断りのない限り、図１において第一本体４０と第二本体５０とが並んでいる方向を照明器具１の上下方向とし、第一本体４０側を上とし、第二本体５０側を下とする。また、カバー７の長手方向を照明器具１の前後方向とする。また、第一本体４０と第二本体５０とが並んでいる方向及びカバー７の長手方向の両方向に直交する方向を照明器具１の左右方向とする。
【００１０】
本実施形態の照明器具１は、図１に示すように、点灯ブロック２と、センサ収容部３と、ハウジング６と、支持部材８と、レンズユニット９とを備えている。照明器具１は、例えば、防犯灯、道路灯又は街路灯として用いられる。
【００１１】
センサ収容部３は、第一収容部品４と、第二収容部品５とを備えている。センサ収容部３は、第一収容部品４と第二収容部品５とを繋げて、箱状に形成されている。
【００１２】
第一収容部品４は、第二収容部品５よりも光反射率が小さい。また、第一収容部品４は、第二収容部品５よりも光吸収率が大きい。第一収容部品４の色は黒色系である。第二収容部品５の色は白色系である。第一収容部品４は、第二収容部品５とは異なる材料で形成されることにより、第二収容部品５よりも光反射率が小さく、第二収容部品５よりも光吸収率が大きい。なお、第一収容部品４に例えば塗装などの表面処理を行うことで、第一収容部品４の光反射率を第二収容部品５の光反射率よりも小さくし、第一収容部品４の光吸収率を第二収容部品５の光吸収率よりも大きくしてもよい。
【００１３】
第一収容部品４は、第一本体４０と、第一突出部４１とを含む。第二収容部品５は、第二本体５０と、第二突出部５１とを含む。
【００１４】
第一本体４０は、下面が開口した直方体状に形成されている。第一本体４０は、第一本体４０の前面４０１を有する第一基部４９（図２参照）を含む。第一基部４９は板状である。第一基部４９は、Ｕ字状の第一窪み部４２を有している。すなわち、第一基部４９では、下辺４０２がＵ字状に窪んでいる。第一窪み部４２は、第一基部４９のうち左右方向における中心を含む領域に形成されている。また、第一基部４９の前面４０１からは、２つの取付片４３が突出している。各取付片４３は、貫通孔４４を有している。また、第一本体４０は、左右の面にそれぞれ２つずつ爪部４５を有している。さらに、第一本体４０は、左右の面（図１では左側の面についてのみ図示）からそれぞれ引掛片４６が突出している。また、第一本体４０の上面には、２つの給電線２００を通すための図示しない２つの貫通孔が設けられている。２つの給電線２００は、商用電源などの図示しない外部電源から電力を供給するための配線である。さらに、第一本体４０の内面のうち、上面からは、端子台４７が突出している。端子台４７は、内部の空間に後述の２つの電源端子２４を収容している。端子台４７は、内部の空間が第一本体４０の上面の２つの貫通孔に繋がっている。
【００１５】
第一突出部４１は、半円筒状に形成されている。第一突出部４１は、第一基部４９（図２参照）の前面４０１から前向きに突出している。より詳細には、第一突出部４１は、第一基部４９に形成されているＵ字状の第一窪み部４２のうち、半円状の部分に沿って形成されている。
【００１６】
第二本体５０は、上面と後面とが開口した直方体状に形成されている。第二本体５０は、第二本体５０の前面５０１を有する第二基部５９（図２参照）を含む。第二基部５９は板状である。第二基部５９は、第二窪み部５２を有している。すなわち、第二基部５９では、第二窪み部５２において上辺５０２が窪んでいる。より詳細には、第二窪み部５２は、上辺５０２に対して矩形状に窪んだ部分と、この部分から更に半円状に窪んだ部分とを有している。後述するように、第二突出部５１は、第二窪み部５２のうち半円状に窪んだ部分に沿って形成されている。第二窪み部５２は、第二基部５９のうち左右方向における中心を含む領域に形成されている。また、第二本体５０からは、遮光板５３が突出している。遮光板５３は、半円状に形成されている。遮光板５３は、第二本体５０の下面５０３のうち、後端付近から下向きに突出している。さらに、第二本体５０の内面には、４つの凹部５４（図３参照。図３では２つのみを図示）が形成されている。４つの凹部５４は、第二本体５０の内面の左右に２つずつ設けられている。
【００１７】
第二突出部５１は、半円筒状に形成されている。第二突出部５１は、第二基部５９（図２参照）の前面５０１から前向きに突出している。より詳細には、第二突出部５１は、第二基部５９に形成されている第二窪み部５２のうち、半円状の部分に沿って形成されている。
【００１８】
図１、２に示すように、第一収容部品４に第二収容部品５が取り付けられて、センサ収容部３が形成されている。すなわち、第一収容部品４の４つの爪部４５が、第二収容部品５の４つの凹部５４（図３参照）に一対一で対応して嵌め込まれることにより、第一収容部品４に第二収容部品５が保持されている。第一収容部品４は、第二収容部品５に対して上に位置している。また、第一収容部品４の前面４０１と左右の面とは、第二収容部品５により部分的に覆われている。
【００１９】
センサ収容部３は、収容部本体３０（基部）と、突出部３１とを含む。収容部本体３０は、第一本体４０と第二本体５０とを備えており、これらが合わさって形成されている。収容部本体３０は中空の直方体状である。また、収容部本体３０は、基部３９を有している。基部３９は板状である。基部３９は、第一基部４９と第二基部５９とを備えており、これらが合わさって形成されている。突出部３１は、第一突出部４１と第二突出部５１とを備えており、これらが合わさって形成されている。したがって、突出部３１は、基部３９（収容部本体３０）の前面である対向面３０１から突出している。突出部３１の形状は筒状であり、より詳細には円筒状である。基部３９は、開口部３２（窓部）を含む。開口部３２は、対向面３０１に位置している。開口部３２は、第一窪み部４２と第二窪み部５２とのそれぞれの半円状の部分が合わさって形成されている。開口部３２は、円状に形成されている。開口部３２は、外光を通す。突出部３１は、基部３９のうち、開口部３２の周縁から前向きに突出している。すなわち、突出部３１は、開口部３２を囲んでいる。また、収容部本体３０は後面に、左右方向に長い隙間３３（図３参照）を有しており、隙間３３から後述の基板２１の一部がセンサ収容部３の内部に挿入されている。
【００２０】
上述の通り、第一収容部品４は、第二収容部品５よりも光反射率が小さい。したがって、第一突出部４１は第二突出部５１よりも光反射率が小さい。第一基部４９は第二基部５９よりも光反射率が小さく、基部３９の中で最も光反射率が小さい。第一突出部４１の光反射率は第一基部４９の光反射率と同じである。なお、第一突出部４１の光反射率は第一基部４９の光反射率よりも小さくてもよい。
【００２１】
図１に示すように、点灯ブロック２は、基板２１と、複数（図１では９つ）の発光素子２２（光源）と、光センサ２３と、２つの電源端子２４とを含む。
【００２２】
基板２１は、例えば、銅板に樹脂等の電気絶縁性の材料をコーティングした、いわゆる銅基板である。基板２１として銅基板を採用することにより、基板２１の放熱効率が高められている。基板２１は、矩形板状に形成されている。基板２１は、前後方向に長手方向を有している。基板２１は、下面である第一面２１１と、第一面２１１とは反対側の面（上面）である第二面２１２（図３参照）とを有している。第一面２１１の領域２５には、複数の発光素子２２、配線用の導体２６及び点灯回路２７が設けられている。ただし、図１では導体２６及び点灯回路２７の形状・構成を省略している。
【００２３】
複数の発光素子２２は、基板２１の後側に取り付けられている。複数の発光素子２２は、互いに間隔を空けて、基板２１の長手方向に沿って２列に並んでいる。より詳細には、複数の発光素子２２は、千鳥状に並んでいる。複数の発光素子２２は、直列、並列、又は直並列に接続している。各発光素子２２は、例えば表面実装型の発光ダイオード素子である。
【００２４】
光センサ２３は、基板２１の前端付近において、第二面２１２（図３参照）に取り付けられている。光センサ２３は、例えばフォトダイオードである。光センサ２３のリード端子は、第一面２１１に引き出されており、導体２６を介して点灯回路２７に電気的に接続されている。光センサ２３は、受光面２３０を有している。光センサ２３は、受光面２３０から入射した光を検出して、入射光量に応じた大きさの電気信号を検出信号として点灯回路２７に送信する。
【００２５】
２つの電源端子２４は、基板２１の前側において、第二面２１２（図３参照）に取り付けられている。各電源端子２４は速結端子である。２つの電源端子２４は、２つの給電線２００が一対一で対応して接続される。各電源端子２４のリード端子は、第一面２１１に引き出されており、導体２６を介して点灯回路２７に電気的に接続されている。各電源端子２４で受電した電力は、点灯回路２７に供給される。
【００２６】
点灯回路２７は、基板２１の前側に設けられている。点灯回路２７は、例えば、外部電源から２つの電源端子２４を介して供給される交流電力を直流電力に変換するＡＣ／ＤＣコンバータを備えている。点灯回路２７は、各発光素子２２へ電力を供給し、各発光素子２２を点灯させる。また、点灯回路２７は、光センサ２３が光を検出することで生じる検出信号の大きさに応じて、各発光素子２２への出力電流を制御する。すなわち、光センサ２３で検出された光量が消灯閾値よりも大きい場合は、点灯回路２７は、各発光素子２２への電流供給を停止して各発光素子２２を消灯させる。光センサ２３で検出された光量が点灯閾値よりも小さい場合は、点灯回路２７は、各発光素子２２へ電流を供給して各発光素子２２を点灯させる。消灯閾値は、点灯閾値よりも大きい値である。
【００２７】
基板２１は、４つの溝２８を有している。各溝２８は、基板２１を厚み方向において貫通している。各溝２８は、基板２１の長手方向（前後方向）に沿った両辺に、半円状に形成されている。各溝２８は、基板２１の後側に形成されている。
【００２８】
基板２１の第二面２１２の少なくとも一部には、図示しない銅箔が貼り付けられている。銅箔は、基板２１の後側に貼り付けられている。銅箔は、導体２６、点灯回路２７及び複数の発光素子２２など、照明器具１の通常の使用状態において通電する部分と電気的に絶縁されている。後述するように、基板２１は銅箔を介して支持部材８と熱的に結合しているので、発光素子２２が発光すること等により点灯ブロック２で生じる熱が支持部材８へ効率良く伝導する。
【００２９】
図３に示すように、点灯ブロック２のうち、光センサ２３と２つの電源端子２４と点灯回路２７とを含む部分は、収容部本体３０に収容されている。光センサ２３の受光面２３０は、センサ収容部３の開口部３２に対向している。すなわち、受光面２３０は、一の方向Ｄ１において開口部３２側を向いている。
【００３０】
図１に示すように、支持部材８は、主板８１と、２つ（図１では１つのみを図示）の側板８２とを含む。支持部材８は、例えば鋼板により形成されている。主板８１は長尺の帯状に形成されている。主板８１は、前側の第一板部８１１と、後側の第二板部８１２と、第一板部８１１と第二板部８１２との間の曲部８１３とを有している。主板８１は、曲部８１３において円弧状に曲がっている。２つの側板８２は、主板８１の２つの長辺に沿って、主板８１の一の面から突出している。
【００３１】
図４に示すように、支持部材８は、第二板部８１２において、支柱８００に取り付けられる。支柱８００は、例えば道路の脇など地上に設置される鋼管ポール又は電柱である。図１に示すように、第二板部８１２には、第一ねじ挿通孔８１４、第二ねじ挿通孔８１５、ねじ挿通溝８１６及び端子孔８１７が設けられている。第一ねじ挿通孔８１４はだるま孔からなる。第二ねじ挿通孔８１５は丸孔からなる。ねじ挿通溝８１６はＵ字状に形成されている。端子孔８１７は丸穴であり、電気的に接地される接地端子８１８が挿入される。
【００３２】
また、第一板部８１１には、第三ねじ挿通孔８１９が設けられている。第一板部８１１の長手方向の両辺からはそれぞれ、突出片８３が２つずつ突出している。各突出片８３は、取付孔８３１を有している。さらに、支持部材８の各側板８２には、第二板部８１２の付近に、角孔８２１が設けられている。
【００３３】
レンズユニット９は、取付板９１と、複数（図１では９つ）のレンズ９２とを備えている。取付板９１は、矩形状に形成されている。複数のレンズ９２は、取付板９１と一体に形成されている。レンズユニット９は、例えばポリメタクリル酸メチル樹脂などの樹脂材料から成る樹脂成形品である。レンズユニット９は、基板２１の第一面２１１を部分的に覆っている。複数のレンズ９２は、複数（９つ）の発光素子２２に一対一で対応している。各レンズ９２は、対応する発光素子２２に対向している。各レンズ９２は、対応する発光素子２２が発する光を配光する。
【００３４】
取付板９１には、４つの溝９３が形成されている。各溝９３は、取付板９１を厚み方向において貫通している。各溝９３は、取付板９１の長手方向（前後方向）に沿った両辺に、半円状に形成されている。
【００３５】
ハウジング６は、外部筐体６１と、カバー７とを含む。
【００３６】
外部筐体６１は、例えばＡＳＡ（acrylate styrene acrylonitrile）樹脂などの樹脂材料により形成されている。外部筐体６１は、下面と後面とに開口を有する箱状に形成されている。外部筐体６１の長手方向は前後方向に沿っている。外部筐体６１は、長尺矩形状の主部６１１と、周壁部６１２とを有している。周壁部６１２は、主部６１１の後端の一部分を除く主部６１１の周縁から下向きに突出している。外部筐体６１からは、２つの突出片６２が突出している。２つの突出片６２は、外部筐体６１の前端付近の周壁部６１２から下向きに突出している。２つの突出片６２は、左右方向において互いに間隔を空けて並んでいる。２つの突出片６２の間に突出部３１が挿入されている。周壁部６１２の内面のうち、左右の面（図１では右側の面のみを図示）からは、引掛片６３が突出している。引掛片６３は、左右方向から見てＬ字状に形成されている。また、外部筐体６１は、前端に２つの軸６４を有している。
【００３７】
カバー７は、有底半円筒状に形成されている。カバー７は、第一端部７１と、第二端部７２と、側部７３とを含む。側部７３は半円筒状に形成されている。側部７３は軸方向（前後方向）において長尺である。第一端部７１及び第二端部７２はそれぞれ、前後方向から見て半円状に形成されている。第一端部７１及び第二端部７２はそれぞれ、左右方向から見て円弧状に形成されている。第一端部７１は、側部７３の前端を覆っている。第二端部７２は、側部７３の後端を覆っている。カバー７は、一の面（上面）に開口を有している。カバー７は、例えばアクリル樹脂などの樹脂材料により形成されている。カバー７は、白色に形成されている。カバー７は、透光性を有している。カバー７の下面は、発光素子２２から放射される光を外部へ通す光放射面７３０である。光放射面７３０は、側部７３に含まれている。
【００３８】
第一端部７１からは、２つのフック７４が突出している。２つのフック７４は、外部筐体６１の２つの軸６４に一対一で対応して引っ掛けられている。これにより、カバー７は、外部筐体６１に取りつけられる。また、カバー７は、２つの軸６４を支点として、外部筐体６１の下面（開口）を覆う閉位置（図４に示す位置）と、外部筐体６１の下面（開口）を開放する開位置との間で回転可能である。すなわち、カバー７の２つのフック７４と、外部筐体６１の２つの軸６４とでヒンジを構成している。
【００３９】
また、カバー７には、パッキン１４が取り付けられている。パッキン１４の一部は、カバー７と支持部材８との間に挟まれている。パッキン１４のねじ取付孔１４１と、カバー７の後端に設けられている図示しないねじ取付孔と、支持部材８の第三ねじ挿通孔８１９とに順次にねじ１４２が挿入されることにより、パッキン１４がカバー７に固定されている。パッキン１４は、カバー７と支持部材８との間から塵埃及び雨水等がカバー７内に侵入することを抑制する。
【００４０】
外部筐体６１には、センサ収容部３と、支持部材８と、点灯ブロック２と、レンズユニット９と、カバー７とが取り付けられている。すなわち、まず、外部筐体６１から突出している２つの引掛片６３に、センサ収容部３の第一収容部品４の２つの引掛片４６が引っ掛けられている。さらに、第一収容部品４は、２つの貫通孔４４において外部筐体６１にねじ止めされている。これにより、外部筐体６１の内側に第一収容部品４が取り付けられている。第一収容部品４は、外部筐体６１の前側に取り付けられている。
【００４１】
また、支持部材８の前側部分が外部筐体６１の内側に挿入されており、支持部材８の下に点灯ブロック２とレンズユニット９とがこの順で重ねられている。支持部材８の４つの取付孔８３１と、点灯ブロック２の４つの溝２８と、レンズユニット９の４つの溝９３とが重ねられて、４つのねじ１９により、支持部材８と、点灯ブロック２と、レンズユニット９とが外部筐体６１にねじ止めされている。点灯ブロック２の基板２１は、支持部材８に熱的に結合している。支持部材８は、前側部分が外部筐体６１と点灯ブロック２との間に保持されている。支持部材８の残りの部分は外部筐体６１の外部に出ている。点灯ブロック２は、外部筐体６１の長手方向（前後方向）の略全域に亘って設けられている。レンズユニット９は、外部筐体６１の後側に設けられている。さらに、第一収容部品４に第二収容部品５が取り付けられて、センサ収容部３が形成されている。第一収容部品４は、外部筐体６１に上側から覆われており、第二収容部品５に下側から覆われている。
【００４２】
さらに、外部筐体６１にカバー７が取り付けられている。これにより、ハウジング６は、支持部材８の一部、点灯ブロック２、レンズユニット９及びセンサ収容部３を収容している。
【００４３】
図３に示すように、第一端部７１は、採光部７１０を含む。採光部７１０は、センサ収容部３の開口部３２に対向している。採光部７１０は、透光性を有しており、外光を通す。
【００４４】
基部３９の対向面３０１に設けられた開口部３２は、採光部７１０に対向している。採光部７１０は、一の方向Ｄ１におけるカバー７の端部（前端部）に相当する。基部３９は、一の方向Ｄ１において複数の発光素子２２と採光部７１０との間に位置しており、ハウジング６に収容されている。光センサ２３は、一の方向Ｄ１において基部３９と複数の発光素子２２との間に位置している。
【００４５】
突出部３１は、基部３９の対向面３０１から採光部７１０に向かって突出している。ハウジング６の外部から採光部７１０に到達した光は、採光部７１０からハウジング６の内部へ透過して、突出部３１の内側及び開口部３２を通って光センサ２３で検出される。
【００４６】
光放射面７３０は、複数の発光素子２２の下方に位置しており、複数の発光素子２２と対向している。外部筐体６１は、複数の発光素子２２の上方に位置しており、複数の発光素子２２に対向している。すなわち、光放射面７３０と外部筐体６１とは複数の発光素子２２を挟んで並んでいる。光放射面７３０と外部筐体６１とが複数の発光素子２２を挟んで並んでいる方向Ｄ２において、第一突出部４１は、第二突出部５１と外部筐体６１との間に位置している。
【００４７】
第二収容部品５の半円状の遮光板５３は、第二本体５０とカバー７の側部７３との間の隙間を埋めるように、側部７３に沿った形状に形成されている。これにより、遮光板５３は、カバー７の内部を前後方向に通過しようとする光を遮る。
【００４８】
次に、図１を参照して照明器具１の動作を説明する。
【００４９】
照明器具１の周囲の環境は良好であるとは限らない。例えば、カバー７の外面には雪などが付着することがある。また、照明器具１が光反射率の高い壁などの付近に設置されることもある。
【００５０】
本実施形態の照明器具１では、発光素子２２から放射されて開口部３２に向かう光を、突出部３１によって遮ることができる。すなわち、発光素子２２から放射された光が開口部３２に到達して光センサ２３の検出結果に影響する可能性を低減することができる。突出部３１は筒状に形成されているので、突出部３１の軸方向（前後方向）に交差する各方向からの光を遮ることができる。例えば、発光素子２２から放射された光は、ハウジング６の内外で反射を繰り返すことにより突出部３１の上側から開口部３２に向かう場合があり、このような光も突出部３１により遮ることができる。すなわち、本実施形態では、突出部がＵ字状に形成されている場合よりも、発光素子２２からの光を遮る効果が高い。
【００５１】
これにより、光センサ２３は、ハウジング６の外部の明るさをより正確に検出することができる。したがって、光センサ２３の検出結果を用いて、発光素子２２を点灯・消灯する制御をより適切に行うことができる。
【００５２】
また、第一収容部品４は、第二収容部品５よりも光反射率が小さい。これにより、第一収容部品４は、発光素子２２から放射されて開口部３２に向かう光をより効果的に遮ることができる。しかも、第一収容部品４は、外部筐体６１と第二収容部品５とに部分的に覆われているので、光反射率を小さくするために第二収容部品５とは色彩又は光沢などの点で外観が異なるように形成されていても目立ちにくい。
【００５３】
なお、センサ収容部３は、発光素子２２からの光によって照射されやすい部分の光反射率が小さいことが好ましい。したがって、センサ収容部３において光反射率が小さいことが好ましい部分は、例えば、収容部本体３０の外面、突出部３１の内面及び外側面３４である。これらのうち少なくとも一部分が、センサ収容部３の他の部分よりも光反射率が小さければ、発光素子２２から放射されて開口部３２に向かう光を効果的に遮ることができる。
【００５４】
次に、照明器具１の施工手順を図１、４を参照して説明する。支持部材８は、取付部材１８を用いて支柱８００に取り付けられる。取付部材１８は鋼板などの金属板により角樋状に形成されている。取付部材１８は、矩形平板状の取付部１８０と、取付部１８０の長手方向に沿った両辺から取付部１８０の厚み方向に立ち上がる２つの側部１８１とを有している。各側部１８１には、角孔１８２が設けられている。支持部材８は、第一ねじ挿通孔８１４、第二ねじ挿通孔８１５、ねじ挿通溝８１６において取付部材１８に３つのねじ１８３を用いて固定される。さらに、各側部１８１の角孔１８２に通された取付バンド１８４（例えば金属バンド）を支柱８００に巻くことで、支持部材８が取付部材１８を介して支柱８００に固定される。
【００５５】
また、支持部材８は、各側板８２の角孔８２１に通された取付バンド１８４を支柱８００に巻くことで支柱８００に固定されてもよい。
【００５６】
上述の通り、本実施形態に係る照明器具１は、ハウジング６と、光源（発光素子２２）と、基部３９と、光センサ２３と、突出部３１と、を備える。ハウジング６は、採光部７１０を一の方向Ｄ１の端部に含む。採光部７１０は、透光性を有し外光を通す。光源は、ハウジング６に収容されている。基部３９は、対向面３０１を有する。対向面３０１は、ハウジング６の端部に対向する。基部３９は、窓部（開口部３２）を含む。窓部は、対向面３０１に位置している。窓部は、外光を通す。基部３９は、ハウジング６のうち、一の方向Ｄ１において光源とハウジング６の端部との間に収容されている。光センサ２３は、一の方向Ｄ１において基部３９と光源との間に位置している。光センサ２３は、受光面２３０を有する。受光面２３０は、一の方向Ｄ１において窓部側を向く。光センサ２３は、光を検出する。突出部３１は、窓部を囲むように設けられている。突出部３１は、基部３９から採光部７１０に向かって突出している。突出部３１は筒状である。
【００５７】
上記の通り、本実施形態においてハウジング６は、外光を通す採光部７１０を含む。基部３９は、外光を通す窓部（開口部３２）を含む。光センサ２３は、一の方向Ｄ１において窓部側を向く受光面２３０を有する。窓部を通って受光面２３０へ入射する光は、光センサ２３により検出される。突出部３１は、窓部を囲むように設けられており、基部３９から採光部７１０に向かって突出しており、筒状である。したがって、突出部が筒状ではない場合と比較して、光源（発光素子２２）から放射されて窓部に向かう光を、突出部３１によってより効果的に遮ることができる。すなわち、光源から放射された光が窓部に到達して光センサ２３の検出結果に影響する可能性をより低減することができる。
【００５８】
また、本実施形態に係る照明器具１において、突出部３１の少なくとも一部の光反射率は、基部３９のうち最も光反射率が小さい部分の光反射率以下である。
【００５９】
上記の通り、本実施形態において突出部３１の少なくとも一部（第一突出部４１）の光反射率は、基部３９のうち最も光反射率が小さい部分（第一基部４９）の光反射率以下である。したがって、突出部３１の当該部分（第一突出部４１）では、光源（発光素子２２）から放射されて窓部（開口部３２）に向かう光をより効果的に遮ることができる。すなわち、光源からの光が窓部に到達して光センサ２３の検出結果に影響する可能性を更に低減することができる。
【００６０】
また、本実施形態に係る照明器具１において、ハウジング６は、カバー７と、外部筐体６１と、を含む。カバー７は、光放射面７３０を含む。光放射面７３０は、光源（発光素子２２）と対向する。光放射面７３０は、光源からの光を外部へ通す。外部筐体６１は、光放射面７３０との間に光源を挟んで光放射面７３０と並んでいる。外部筐体６１には、カバー７が取り付けられている。外部筐体６１は、カバー７と共に光源、基部及び突出部３１を収容している。基部３９は、第一基部４９と、第二基部５９と、を有する。突出部３１は、第一突出部４１と、第二突出部５１と、を有する。第一突出部４１は、第一基部４９から突出している。第二突出部５１は、第二基部５９から突出している。第一突出部４１は、方向Ｄ２において第二突出部５１と外部筐体６１との間に位置する。方向Ｄ２は、光放射面７３０と外部筐体６１とが光源を挟んで並んでいる方向である。第一突出部４１は、第二突出部５１よりも光反射率が小さい。
【００６１】
上記の通り、本実施形態において突出部３１のうち第一突出部４１は、第二突出部５１よりも光反射率が小さい。したがって、第一突出部４１では、光源（発光素子２２）から放射されて窓部（開口部３２）に向かう光をより効果的に遮ることができる。すなわち、光源からの光が窓部に到達して光センサ２３の検出結果に影響する可能性を更に低減することができる。また、第一突出部４１は、光放射面７３０と外部筐体６１とが光源を挟んで並んでいる方向Ｄ２において第二突出部５１と外部筐体６１との間に位置している。すなわち、第一突出部４１は、第二突出部５１に対して外部筐体６１側に位置しているので、第二突出部５１よりも目立ちにくい。したがって、第一突出部４１の光反射率を小さくするために第一突出部４１が第二突出部５１とは色彩などの点で外観が異なっても、美観への影響を抑えることができる。
【００６２】
また、本実施形態に係る照明器具１において、第一基部４９の光反射率は第一突出部４１の光反射率と同じである。
【００６３】
上記の通り、本実施形態において第一基部４９の光反射率は第一突出部４１の光反射率と同じである。したがって、第一基部４９の光反射率が第一突出部の反射率と異なる場合よりも、第一基部４９及び第一突出部４１を容易に作成することができる。例えば、第一基部と第一突出部４１とを同じ材料により形成することができる。
【００６４】
なお、センサ収容部３は、互いに光反射率が異なる２つの部分を有していなくてもよい。例えば、第一収容部品４と第二収容部品５との光反射率は同じであってもよい。あるいは、第一収容部品４の光反射率は、第二収容部品５の光反射率よりも大きくてもよい。
【００６５】
あるいは、第一突出部４１と第一基部４９（第一本体４０）との光反射率が互いに異なっていてもよい。また、第二突出部５１と第二基部５９（第二本体５０）との光反射率が互いに異なっていてもよい。
【００６６】
また、センサ収容部３は、第一収容部品４と第二収容部品５とに分かれて形成されていなくてもよい。
【００６７】
また、突出部３１の形状は円筒状に限定されず、筒状であればよい。例えば、突出部３１は角筒状に形成されていてもよい。
【００６８】
また、ハウジング６のうち採光部７１０の周囲は、透光性を有していなくてもよい。すなわち、ハウジング６の第一端部７１は、少なくとも突出部３１の先端に対向する部分が透光性を有していればよい。
【００６９】
また、発光素子２２は発光ダイオード素子に限定されず、例えば、有機エレクトロルミネッセンス素子又はレーザーダイオード素子等であってもよい。
【００７０】
また、発光素子２２の数は９つに限定されず、１〜８つであってもよいし、１０個以上であってもよい。
【００７１】
また、光センサ２３はフォトダイオードに限定されない。光センサ２３として例えば、フォトトランジスタ、フォトＩＣ又はＣｄＳ（硫化カドミニウム）セルなどの光電変換素子を用いることもできる。
【００７２】
また、窓部は、開口部３２に限定されない。例えば、窓部は、アクリル樹脂、ポリカーボネート樹脂又はガラス等により透光性を有するように形成された部材であってもよい。
【００７３】
また、本実施形態で挙げたセンサ収容部３の各部の色は一例であり、特に限定されない。
【００７４】
（実施形態２）
以下、実施形態２に係る照明器具について、図５を用いて説明する。なお、実施形態１と同様の構成については、同一の符号を付して説明を省略する。
【００７５】
本実施形態の照明器具１ａのセンサ収容部３ａにおいて、突出部３１ａは、切欠き４１１を有している。切欠き４１１は、第一収容部品４ａの第一突出部４１ａの前側上端に設けられている。また、第一突出部４１ａは、実施形態１の第一突出部４１よりも、前後方向において長尺に形成されている。また、第二収容部品５ａの第二突出部５１ａは、実施形態１の第二突出部５１よりも、前後方向において長尺に形成されている。また、突出部３１ａは、切欠き４１１が設けられていることにより、ハウジング６のうち突出部３１ａの前端と対向する部分に沿った形状とされている。
【００７６】
これにより、突出部３１ａの先端は、採光部７１０に接している。
【００７７】
上述の通り、本実施形態に係る照明器具１ａにおいて、突出部３１ａは、採光部７１０に接している。
【００７８】
上記の通り、本実施形態において突出部３１ａは、採光部７１０に接している。これにより、光源（発光素子２２）から放射されてハウジング６の内部を通る光が、突出部３１ａの先端側から突出部３１ａの内部に入る可能性を低減することができる。したがって、光源からの光が窓部（開口部３２）に到達して光センサ２３の検出結果に影響する可能性を更に低減することができる。
【００７９】
（実施形態３）
以下、実施形態３に係る照明器具について、図６Ａ、６Ｂを用いて説明する。なお、実施形態１と同様の構成については、同一の符号を付して説明を省略する。
【００８０】
本実施形態の照明器具１ｂにおいて、カバー７ｂの第一端部７１ｂは、屈曲部１６と、端部本体１７とを含む。屈曲部１６及び端部本体１７は、透光性を有している。屈曲部１６は、第一端部７１ｂの左右方向の中心を含む部分に設けられている。端部本体１７は、半円状の第一端部７１ｂのうち、屈曲部１６を除いた部分である。屈曲部１６と端部本体１７とは一体に形成されている。屈曲部１６は、第一片１６１と、第二片１６２と、第三片１６３とを有している。これらは矩形板状に形成されている。第一片１６１は、突出部３１の先端を覆っている。第一片１６１は、採光部７１０ｂを含む。第一片１６１は、端部本体１７に対してカバー７ｂの内側へ窪んでいる。第二片１６２は、第一片１６１に繋がっており、第一片１６１に対して屈曲している。第二片１６２は、突出部３１の外側面３４のうち下側部分を覆っている。第三片１６３は、第二片１６２に繋がっており、第二片１６２に対して屈曲している。第三片１６３は、基部３９の対向面３０１の一部を覆っている。第三片１６３は、端部本体１７に対して屈曲している。すなわち、第三片１６３は、上下方向において端部本体１７に繋がっており、この付近において第三片１６３の厚み方向と端部本体１７の厚み方向とが交差している。
【００８１】
このように、屈曲部１６は、基部３９のうち開口部３２を含む面である対向面３０１と、突出部３１とに沿って屈曲している。これにより、図６Ｂにおいて矢印で示すように、カバー７ｂの厚み部分を通る光が、屈曲部１６からハウジング６ｂの外部へ出て行きやすい。すなわち、端部本体１７の厚み部分で内部反射を繰り返して進む光は、外部（空気）に対する入射角が屈曲部１６の屈曲している部分で変わるので、この部分において外部に出て行きやすい。
【００８２】
上述の通り、本実施形態に係る照明器具１ｂにおいて、ハウジング６ｂは、屈曲部１６を含む。屈曲部１６は、透光性を有する。屈曲部１６は、対向面３０１と突出部３１とに沿って屈曲している。
【００８３】
ハウジング６ｂのうち窓部（開口部３２）の周囲の部分が透光性を有している場合は、光源（発光素子２２）から放射された光がハウジング６ｂの透光性の部分（カバー７ｂ）で反射を繰り返して、透光性の部分を伝って窓部に向かうことがある。本実施形態の照明器具１ｂでは、ハウジング６ｂは透光性の部分として屈曲部１６を含む。屈曲部１６は対向面３０１及び突出部３１に沿って屈曲しているので、光が屈曲部１６から外へ出て行きやすい。したがって、光源からの光が窓部に到達して光センサ２３の検出結果に影響する可能性を更に低減することができる。
【００８４】
なお、本実施形態において、突出部３１は、採光部７１０ｂに接するように形成されていてもよい。
【００８５】
なお、以上説明した実施形態は本発明の一例である。このため、本発明はこれらの実施形態に限定されず、本発明の趣旨を逸脱しない範囲において種々の変形が可能である。
【００８６】
（参考例）
以下、参考例に係る照明器具について、図７Ａ、７Ｂを用いて説明する。なお、実施形態１と同様の構成については、同一の符号を付して説明を省略する。
【００８７】
参考例の照明器具１ｃにおいて、突出部３１ｃは、Ｕ字状に形成されている。第一収容部品４ｃは、第一突出部４１（図１参照）を有していない。突出部３１ｃは、第二本体５０ｃから突出している。つまり、実施形態１の第二突出部５１（図１参照）が参考例の突出部３１ｃに相当する。ただし、実施形態１の半円筒状の第二突出部５１は、参考例のＵ字状の突出部３１ｃとは形状が異なる。突出部３１ｃは、左右と下側とに面を有している。
【００８８】
第一収容部品４ｃが第二収容部品５ｃに取り付けられて、センサ収容部３ｃを形成している。開口部３２ｃは、円形に形成されている。
【００８９】
突出部３１ｃは、発光素子２２（図１参照）から放射されて開口部３２ｃに向かう光を遮る。より詳細には、突出部３１ｃは、左右方向及び下側から来る光を遮ることができる。
【００９０】
また、照明器具１ｃは、壁部１０を更に備えている。壁部１０は、角樋状に形成されている。壁部１０の色は黒色系である。壁部１０は、突出部３１ｃよりも光反射率が小さい。また、壁部１０は、突出部３１ｃよりも光吸収率が大きい。
【００９１】
壁部１０は、底壁１０１と、２つの側壁１０２とを含む。底壁１０１は、左右方向の中心を含む部分に、突出部３１ｃに沿って円弧状に窪んだ溝部１０３を有している。２つの側壁１０２は、底壁１０１の左右方向の両端から上向きに突出している。各側壁１０２は、上側前端に切欠き１０４を有している。また、各側壁１０２の上側後端から突起１０５が後方に突出している。
【００９２】
壁部１０は、センサ収容部３ｃとカバー７（図３参照）との間に設けられている。より詳細には、壁部１０は、カバー７の第一端部７１（図３参照）と基部３９ｃの対向面３０１ｃとの間に取り付けられている。壁部１０は、各側壁１０２の切欠き１０４において外部筐体６１の周壁部６１２に引っ掛けられ、突起１０５が第二本体５０ｃの上辺５０２に引っ掛けられている。壁部１０の内側には、突出部３１ｃが通されている。壁部１０は、左右方向及び下側から突出部３１ｃの外側面を覆っている。したがって、発光素子２２（図１参照）から放射されて開口部３２ｃに向かう光を壁部１０により遮ることができる。
【００９３】
なお、壁部１０の光反射率は突出部３１ｃの光反射率と同じであってもよいし、突出部３１ｃの光反射率よりも大きくてもよい。また、壁部１０は、光を遮ることができれば色が黒色系でなくてもよい。
【００９４】
また、壁部１０は、実施形態１〜３の照明器具１、１ａ、１ｂに適用してもよい。
【符号の説明】
【００９５】
１、１ａ、１ｂ  照明器具
１６  屈曲部
２２  発光素子（光源）
２３  光センサ
２３０  受光面
３９  基部
３１、３１ａ  突出部
３２  開口部（窓部）
３０１  対向面
４９  第一基部
４１、４１ａ  第一突出部
５９  第二基部
５１、５１ａ  第二突出部
６、６ｂ  ハウジング
６１  外部筐体
７、７ｂ  カバー
７１０、７１０ｂ  採光部（端部）
７３０  光放射面
Ｄ１  一の方向
Ｄ２  方向
【図１】
2018137185.tif 000003
【図２】
2018137185.tif 000004
【図３】
2018137185.tif 000005
【図４】
2018137185.tif 000006
【図５】
2018137185.tif 000007
【図６】
2018137185.tif 000008
【図７】
2018137185.tif 000009